(57)【要約】【課題】床暖房温水マットを折畳むための溝は、マット裏面の巻き込み外側に形成され、折曲げ部も小根太から離れた位置に嵌装されたので、マットを折畳んだ際に、溝の拡開と放熱管の反発による放熱シートの剥離や脆い素材で構成されるボードの隅角部の欠け落ち等重大な損傷に連ながり易い問題があった。【解決手段】床暖房温水マットを折畳んだ際、折畳み側端縁部に各ボードに嵌装された側小根太４ａが来るようにし、側小根太側端縁に沿って折畳ラインＲを設定し、マット表面の巻き込み内側に溝５を形成して放熱管の反発を吸収し、ボードが側小根太の内側に巻き込まれて外部衝撃から保護されるようにした。【選択図】図６
2010190441.tif 000002
【特許請求の範囲】
【請求項１】
複数の単位ボードを並列し小根太を嵌装して構成したベースボードの表面に、敷設経路パターンに沿って放熱管敷設溝を刻設して放熱管を嵌装し、上面に放熱シートを覆装した床暖房温水マットの、折曲もしくは湾曲方向に対する交差敷設放熱管が存在する端縁部位に、折曲ラインもしくはこれに並行する湾曲ライン、或いはその双方に沿って折曲もしくは湾曲の内側面に１若しくは複数の溝を形成したことを特徴とする床暖房温水マット
【請求項２】
基端ボード一辺の端縁に、接合部において谷折り可能に小根太を沿設した辺の端縁を接合する１若しくは複数の連接ボードを順次接合して構成したベースボードを単位ボード所要の辺縁に、末端のボードを巻き込むようにして順次基端ボード上に折り畳めるように構成した請求項１記載の床暖房温水マット
【請求項３】
基端ボードの下端辺に、接合部において谷折り可能に小根太を沿設した上端辺を接合する１若しくは複数の連接ボードを順次接合して構成し、末端のボードを巻き込むようにして順次基端ボード上に折畳めるように構成したボードユニットを横並びにし、一方の基端ボードの右側辺と他方の基端ボードの左側辺を山折り可能に接合するように構成した請求項１記載の床暖房温水マット
【請求項４】
末端のボードを巻き込むようにして順次基端ボード上に折畳めるように構成したボードユニットの表面を、各別の放熱シートによって覆着して横並びにし、一方の基端ボードの右側辺と他方の基端ボードの左側辺を、ボードに嵌着された放熱管をヒンジとして山折り可能に接合するように構成した請求項３記載の床暖房温水マット
【発明の詳細な説明】
【技術分野】
【０００１】
本発明は、小根太を嵌装して回曲部を含む放熱管を敷設した複数の単位ボードを折り畳み可能に並列して構成した床暖房温水マットに関するものである。
【背景技術】
【０００２】
従来、住居用床暖房温水マットの放熱配管は、配管経路溝を刻設した発泡スチロール（発泡ポリスチレン重合体）のベースボードに耐熱樹脂を素材とした放熱管を嵌装配管し、その上面に放熱シート（アルミシート等）を全面に渡って張設した温水マットを対象室内に敷設し、小根太を介しての釘打ち等によりマットを固定し、室内全面にフローリング等の床仕上げ材を固定する工法が行われてきている。
【０００３】
このような工法に用いられる床暖房温水マットは、放熱管が敷設される側の面に熱が均一に行き渡るように、ベースボードの放熱管敷設面をアルミ箔等の放熱シートで被覆し、搬送や作業取扱いについての便宜上、折り畳みが可能なように複数のボードを組み合わせた構造となっている。
【０００４】
しかし、放熱管の敷設は一筆書き状の敷設パターンによる敷設溝への嵌め込みによって行われるため、放熱管はボードを構成する発泡スチロールと放熱シートの間に挟まれて固定され、放熱管の回曲部がボードの折り畳み部を横断することになり、折り畳み屈折部に嵌装された放熱管は折り畳みによって外側にはみ出したり、屈折して損傷し易いものとなっている。
【先行技術文献】
【特許文献】
【０００５】
このような問題に対応するため、折畳部において放熱管を斜交させると共に、折り畳んだ際に放熱管がボードに収容される斜め方向に収容溝を形成する方法（特許文献１）や、折畳部において斜交する放熱管に沿って放熱管敷設溝をボード表面に設ける方法（特許文献２）が開示されている。
【０００６】
また、床暖房温水マットは、ベースボードを床上に配置してボードに嵌装された小根太に釘を打ち付けたりしてマットを床に固定して敷設するものであり、複数の小根太がボードの長手方向の一部分に小根太が存在しない部分を残して間隔を隔てて並設され、放熱管が小根太が存在しない部分を通過するように構成されるが、折り畳みのための折り曲げ部を小根太から離れた位置に、小根太の長手方向に沿わせて形成する方法（特許文献３）が開示されている。
【０００７】
更に、マットをロール状に巻き込むものに関してではあるが、床暖房温水マットの放熱管敷設上面に対し、マットの下面に三角状スリットを形成し、上面を内側にしてマットを折り曲げる際に放熱管に掛かる負担を曲面外側に形成した三角状スリットに発散させる方法（特許文献４）が開示されている。
【特許文献１】特開２００５−２４２０６号公報
【特許文献２】特開２００５−２２６９７７号公報
【特許文献３】特開２００５−３３７６３８号公報
【特許文献４】特開２０００−６５３６５号公報
【発明の概要】
【発明が解決しようとする課題】
【０００８】
上記のように、従来の床暖房温水マットを折畳むための折り曲げ部は小根太から離れた位置に形成され、マットを折畳んだ際に、発泡スチロール等の比較的脆い素材で構成されるボードの隅角部等が無防備な外表部となり、持ち運び等の際の衝撃で欠け落ちたりする重大な損傷にも連ながり易い問題があった。
【０００９】
また、折畳時にボードの幅によって浮かび上がる部分や隙間が生じることを回避するため、山折り、谷折りの順で交互に折畳むようにボードの接続部分に折畳部が設けられるが、山折りとなる折畳部では折畳んだ際の外側に放熱管がはみ出して損傷し易い問題がある。
【００１０】
曲面外側に三角状スリットを形成する方法の場合、屈曲された放熱管の反発力が屈曲により曲面外側に拡開された三角状スリットを更に押し広げ、放熱管のはみ出しや捻じれ、更には放熱管の反発力による放熱シートの剥離を招くこととなる問題がある。
【００１１】
更に、放熱管敷設経路のパターンは基端ボードに形成した回流ポートの熱源接続口を起点として、１又は複数本の放熱管敷設溝がそれぞれ一筆書き状に屈曲して終端が再び回流ポートの熱源接続口に帰着するものであるが、マットを構成する１枚のベースボード上に敷設溝を屈曲させて平行部の間隔を詰め、放熱管敷設溝を高密度に刻設するため、ボード全体の堅牢性を維持するのが困難となり中央部に小根太を嵌装して補強するほか、上下の敷設溝屈曲部に小根太に断続する小小根太を嵌装して補強固定しなければならないという問題がある。
【課題を解決するための手段】
【００１２】
本発明は上記した課題に対応しようとするものであり、床暖房温水マットを折畳んだ際、折畳部に露出する放熱管、放熱シートの損傷や、ボードの隅角部の破損を回避できるように、折畳み単位ボードの折り曲げ辺縁端に沿って小根太を嵌装するようにして折り畳んだ際に外側部に小根太が来ることにより、内側のボード部が保護されるようにした。
【００１３】
上記のように折畳み単位ボードの折り曲げ辺縁端に沿って小根太を嵌装することにより、４５ミリ程度の小根太の幅が折り畳みによる単位ボード重合部の間隙を保持すると共に、小根太の嵌装から外れる単位ボード端縁部に、折り畳み部の曲面外側ではなく内側に片側を折り畳み部とする小根太のもう片方の延長線、又はその線から並列な位置に沿って１もしくは複数の溝を並列形成して単位ボードの折畳部から重合部への曲面の歪みと放熱管の捻じれを吸収するようにした。
【００１４】
更に、単位ボードを放熱管敷設パターンによる放熱管回曲部と並行並列部に分割したパーツボードによって構成し、放熱管敷設溝の刻設を容易にすると共に、小根太の嵌装やマットの枠組み作業を行い易くした。
【００１５】
床暖房温水マットの構成として、折り畳みの基端となる基端単位ボードの下端辺に、接合部において谷折り可能に小根太を沿設した上端辺を接合する連接ボードを順次接合してベースボードを構成し、末端のボードを巻き込むようにして順次基端ボード上に折り畳めるように構成し、基端ボードの下端辺と小根太を沿設した連接ボードの上端辺の接面部を折り曲げ部に構成して、最下辺の末端ボードから巻き上げて折り畳むように構成したものである。
【００１６】
また、床暖房温水マットの敷設面積が大きくなる場合には、基端ボードの下端辺に、接合部において谷折り可能に小根太を沿設した上端辺を接合した連接ボードを順次接合し、末端のボードを巻き込むようにして順次基端ボード上に折畳めるように連接した上記ベースボードをボードユニットとして構成する。
【００１７】
このボードユニットを横並びに連接して、隣接するボードユニット間を互いの基端ボードの側辺部において接合してベースボードを構成すると共に、放熱管を敷設したベースボードの表面を内側にして各末端ボードから連接ボードを巻き込むように折り曲げ、基端ボード上に折り畳んだ後、各ボードユニットを重合した横並びの両基端ボードを裏面を内側にして折り重ねるようにすることにより、単位ボードの横幅を越えて横幅の広い床暖房温水マットの構成を可能にした。
【００１８】
更に、溝を、Ｖ溝や所定間隙幅の隙間溝とし、折り畳みにより溝の隙間が閉縮されてボード折り曲げ辺縁付近の屈曲を吸収するように、隙間の先端を温水マットの表面から裏面に向かってＶ字形に形成するようにした。
【発明の効果】
【００１９】
ベースボードをこのように構成することにより、床暖房温水マットを折畳んだ際、折畳み側端縁部に各ボードに嵌装された小根太（側小根太）が来ることになり、放熱管を敷設したベースボードの表面を内側にして各末端ボード折り曲げ、連接ボードを巻き込むように基端ボード上に折り畳まれるので、放熱管、放熱シートは折畳みの内側に巻き込まれて外部衝撃から保護される。
【００２０】
また、各基端ボード下端折り曲げ辺縁端に沿って小根太を嵌装することにより、小根太の幅が折り畳みによる単位ボード重合部の間隙を保持すると共に、小根太の嵌装から外れる単位ボード端縁部に、折り畳み部の曲面外側ではなく内側に片側を折り畳み部とする小根太のもう片方の延長線、又はその線から並列な位置に沿って１もしくは複数の溝を並列形成して折畳時にボードの折り重ねによって発生する重合厚を折畳端縁と溝の曲折によって包摂し、幅によって浮かび上がる部分や隙間が包まれ、単位ボードの折畳部から重合部への曲面の歪みと放熱管の捻じれが吸収される。
【図面の簡単な説明】
【００２１】
【図１】本発明の実施例を示すもので、パーツボードを配列して構成した単位ボードを長手辺方向に連接したボードユニットを短手辺方向にも連接した場合における、ベースボードを構成する単位ボード、パーツボードの配列と、ベースボードの表面に形成された敷設経路及びこれに沿って配管された放熱管と嵌装された小根太の状况と、基端ボードの小根太の嵌装から外れる単位ボード端縁部の表面に形成された溝の関係を示す床暖房温水マット表面の全体平面図
【図２】同じく、ベースボードを構成する単位ボード、パーツボードの配列と、ボードユニットの構成、折曲げ部及び小根太、側小根太の関係を簡潔に示すため、放熱管敷設溝の表示を省略して図１における床暖房温水マットの全体構成をパーツ構成で示した床暖房温水マット表面の全体平面図
【図３】同じく、図２のパーツ構成図における短手辺方向連接部の構造を示すため、横方向にボードユニットを繋ぐ基端ボードの連接部を拡開し、同部分における放熱管の連結状况を示した床暖房温水マット表面の全体平面図
【図４】同じく、図１、図２に表示したＡーＡ断面図
【図５】同じく、図１のベースボードを末端ボードから順次基端ボード上に巻き上げ、図１０に示すように基端ボードの短手辺において山折りにした床暖房温水マットの折り畳んだ状態における斜視図
【図６】同じく、ボード折畳み厚を包摂する折曲げ部を形成する溝の状况を示す図５において円で囲んだ部分の拡大斜視図
【図７】本発明の他の実施例によるマットの折り畳み状况を示すもので、単位ボードを２つ連接して二つ折りにした折り畳み状况の斜視図
【図８】同じく、本発明の他の実施例によるマットの折り畳み状况を示すもので、単位ボードを４つ連接して両サイドから観音折りにした折り畳み状况の斜視図
【図９】同じく、本発明の他の実施例によるマットの折り畳み状况を示すもので、単位ボードを２つ連接したボードユニットを横並びに連接して、単位ボード２つを谷折りに折り重ね、横並びに隣接するボードユニット間を互いの基端ボードの側辺部において山折りにした折り畳み状况の斜視図
【図１０】同じく、本発明の実施例によるマットの折り畳み状况を示すもので、単位ボードを４つ連接したボードユニットを横並びに連接して、単位ボード４つを谷折りに折り重ね、横並びに隣接するボードユニット間を互いの基端ボードの側辺部において山折りにした折り畳み状况の斜視図
【発明を実施するための形態】
【００２２】
以下、本発明の実施の形態について詳細に説明すると、本発明は配管経路溝を刻設した発泡スチロール（発泡ポリスチレン重合体）のベースボード１に耐熱樹脂を素材とした放熱管２を嵌装配管し、その上面に放熱シート３（アルミシート等）を全面に渡って張設した温水マットを対象室内に敷設し、小根太４を介しての釘打ち等によりマットを固定し、室内全面にフローリング等の床仕上げ材を固定するものである。
【００２３】
従って、表面積が大きくなり、搬送時や施工時にはこれをロール巻きにしたり、折り畳んだりすることが必要となるが、マットの表面に放熱管２が嵌装されているため、折り畳み折曲ラインと交差する放熱管２を損傷しないようにし、ボードの補強と対象室内への固定のための小根太４の配置が各ボードの構造を特徴づける。
【実施例１】
【００２４】
本発明の実施形態としての実施例１を図面を参照して説明する。
図１は折り畳みのベースとなる４枚の単位ボード１ａを辺端で連接したボードユニット１Ａと同様に構成された上段のボードユニット１Ｂとを基端ボードの短辺端で連接した床暖房温水マットの全体平面図であり、各ボードユニットの末端ボードから順次谷折りに巻き上げ、基端ボードの連接辺端で山折りにして折り畳むようになっている。
【００２５】
単位ボード１ａは放熱管敷設溝２ａの刻設形態によって分割したパーツボード１ｂ（並行刻設部）と１ｃ（回曲刻設部）を並列して構成し、基端となる単位ボード１１ａ（基端ボード）下端辺に順次単位ボード１ａを連接してボードユニット１Ａを構成する。
なお、パーツボードに分割せず、単位ボード１ａを１枚ものとして回曲刻設部を含む敷設溝２ａを刻設しても良いことは勿論である。
【００２６】
基端ボード１１ａの下端折り曲げ辺縁端に沿って側小根太４ａが嵌装され、側小根太の幅が折り畳みによる単位ボード重合部の間隙を保持すると共に、小根太の嵌装から外れる単位ボード端縁部（パーツボード１ｃ配列部）に、折り畳み部の曲面内側に片側を折り畳み部とする小根太のもう片方の延長線、又はその線から並列な位置に沿って１もしくは複数の溝５が並列形成される。
【００２７】
また、基端ボード１１ａの下端辺に順次連接される各単位ボード１ａの下端折り曲げ辺縁端にも、末端ボード１１ｂを除いてそれぞれ側小根太４ａが嵌装され、折り畳みにより曲圧が掛かる側のボードについて折り畳み部の曲面内側に片側を折り畳み部とする小根太のもう片方の延長線、又はその線から並列な位置に沿って１もしくは複数の溝５を並列形成される。
【００２８】
このように構成することにより、折畳時にボードの折り重ねによって発生する重合厚が側小根太４ａの幅と折畳端縁部における溝５の閉縮によって包摂されると共に、床暖房温水マットを折畳んだ際、折畳み側端縁部に各ボードに嵌装された小根太（側小根太）が来ることになり、放熱管を敷設したベースボードの表面を内側にして各末端ボード折り曲げ、連接ボードを巻き込むように基端ボード上に折り畳まれるので、放熱管、放熱シートは折畳みの内側に巻き込まれて外部衝撃から保護される。
【００２９】
放熱管敷設溝２ａは図１に示すように、敷設経路パターンにより基端ボードに形成した回流ポートＰの熱源接続口を起点として、１又は複数本がそれぞれ一筆書き状にベースボード中央部において並行並列し、側端部で屈曲して終端が再び回流ポートの熱源接続口に帰着するもので、これに対応してベースボード表面の刻設部に並行刻設部と回曲刻設部ができ、刻設加工に差が生ずするため、ベースボードをパーツボード１ｂ（並行刻設部）と１ｃ（回曲刻設部）に分割し、パーツボードを配列して単位ボード１ａを構成するようにしたものである。
【００３０】
また、単位ボード１ａは折畳重合の際に折り重ね代が必要となるため、温水マットのスケールと折畳み設計に応じて単位ボードの大きさが調整される。
小根太４は、図１、２に示すように放熱管敷設溝２ａの回曲刻設部を回避して両側から交互に嵌装され、ベースボードの補強と温水マットを対象室内に敷設固定する釘打ち等に用いられる。
【００３１】
このように構成したベースボードの組立ては、先ず、設計パターンによりパーツボード１ｂ、１ｃを配列し、小根太４と４ａを順次嵌装すると共にパーツボードの配列によって構成される放熱管敷設溝２ａに放熱管２を嵌め込み、放熱シート３（アルミシート等）を全面に渡って張設するが、ボードユニット１Ａと１Ｂとは個別のシートによって覆張する。
【００３２】
放熱シート３の覆張により、各単位ボード１ａはボードユニットごとに連接され、小根太４ａに沿って形成される折畳ラインＲによって放熱シート３をヒンジとして折り曲げ可能となるので、各単位ボード１ａを谷折りに折り重ね、横並びに隣接するボードユニット１Ａと１Ｂとを互いの基端ボードの側辺部において山折りにした折り畳むものである。
【００３３】
この場合、ボードユニット１Ａと１Ｂの間は、個別の放熱シートとなっているので、ユニット間を渡る放熱管２がヒンジとなって山折りに折畳まれる。
この間、ヒンジとなる放熱管２は敷設溝２ａとボードユニット１Ａと１Ｂそれぞれの覆張放熱シートによって位置が固定されるが、図３に示されるように敷設溝の嵌着スペース内で引張方向にフリー状態となっているので、谷折りに折畳まれたユニット１Ａと１Ｂは円滑に山折り重合することができる。
【実施例２】
【００３４】
単位ボード１ａは、ボードの下端折り曲げ辺縁端に沿って側小根太４ａが嵌装され、側小根太４ａの幅が折り畳みによる単位ボード重合部の間隙を保持すると共に、小根太の嵌装から外れる単位ボード端縁部（パーツボード１ｃ配列部）に、折り畳み部の曲面内側に片側を折り畳み部とする小根太のもう片方の延長線、又はその線から並列な位置に沿って１もしくは複数の溝５が並列形成されるので、シングル形態の床暖房温水マットとしても独立して機能する。図７は単位ボード１ａ２枚によって構成される場合で、２つ折りにして取り扱うようにしたものである。
【実施例３】
【００３５】
図８は単位ボード１ａ４枚によって構成される場合で、両側のボードが巻き込む所謂観音折りにして折畳んだ。このように構成することにより、全て谷折りに折畳まれ、側小根太４ａの幅と溝５によって屈折部放熱管２の屈曲による歪み圧を緩和することができる。
【実施例４】
【００３６】
図９は単位ボード１ａ４枚によって構成される場合であるが、２枚ずつによって構成されるボードユニット１Ａと１Ｂが横方向に並列される。横並びに隣接するボードユニット１Ａと１Ｂとを互いの基端ボードの側辺部において山折りにして折り畳む構成は実施例１と同様である。
【産業上の利用可能性】
【００３７】
本発明に係る床暖房温水マットは、上記のように様々な形態で折畳むことができ、敷設対象室面積の大小に対応して温水マット表面積を調整できるので、様々な室内床暖房設備の施工に利用することができる。
【符号の説明】
【００３８】
１      ベースボード
１Ａ    ボードユニット
１Ｂ    連接ボードユニット
１ａ    単位ボード
１１ａ  連接ボードの基端ボード
１１ｂ  連接ボードの末端ボード
１ｂ    放熱管敷設溝並行刻設部のパーツボード
１ｃ    放熱管敷設溝回曲刻設部のパーツボード
２      放熱管
２ａ    放熱管敷設溝
３      放熱シート
４      小根太
４ａ    側小根太
５      溝
Ｐ      回流ポート
Ｒ      折畳み屈折ライン
【図１】
2010190441.tif 000003
【図２】
2010190441.tif 000004
【図３】
2010190441.tif 000005
【図４】
2010190441.tif 000006
【図５】
2010190441.tif 000007
【図６】
2010190441.tif 000008
【図７】
2010190441.tif 000009
【図８】
2010190441.tif 000010
【図９】
2010190441.tif 000011
【図１０】
2010190441.tif 000012